(57)【要約】【課題】小型で電源容量の少ないインクジェット記録装置においても、スループットに影響することなく記録直前の予備吐出動作を行うこと。【解決手段】記録媒体を記録装置内に給送する給送手段と、これによって給送されて来た記録媒体を記録手段が記録可能な位置まで搬送する搬送手段と、記録手段を予備吐出可能な位置までキャリッジを移動走査する走査手段とを有するインクジェット記録装置において、記録媒体が給送手段から搬送手段へ引き継がれて行きながら連続的に搬送される給紙搬送動作と、走査手段によるキャリッジの移動走査を含む記録ヘッドの予備吐出動作とが時間的に並行して行われながらも、給送手段と搬送手段および走査手段とは同時に駆動しない。従って、３つの手段のうち２つの手段を駆動させるのに充分な電源容量を有すれば、記録媒体の給紙搬送動作を中断させること無く記録ヘッドの予備吐出動作を行うことが出来る。【選択図】        図６
2004230841.tif 000002
【特許請求の範囲】
【請求項１】
インクを吐出する記録ヘッドを搭載したキャリッジを移動走査する為のキャリッジ走査手段と、複数積載された記録媒体の１枚を給送する為の記録媒体給送手段と、前記記録媒体給送手段によって給送された前記記録媒体を前記記録ヘッドによる記録が可能な位置にまで搬送する記録媒体搬送手段とを備えるインクジェット記録装置において、
前記記録媒体が前記記録媒体給送手段から前記記録媒体搬送手段へ引き継がれながら連続的に搬送される記録媒体給送搬送動作と、前記記録ヘッドの予備吐出動作と、を並行して行わせる制御手段を備え、
該制御手段は、前記記録媒体給送手段の駆動、前記記録媒体搬送手段の駆動および前記予備吐出動作のすべてが同時に行われないよう制御することを特徴とするインクジェット記録装置。
【発明の詳細な説明】
【０００１】
【発明の属する技術分野】
本発明は、例えば、パーソナルコンピュータ等の情報を出力する情報出力装置や複写機やファクシミリなどの画像形成装置において、インクジェット方式の記録ヘッドを用いて記録を行うインクジェット記録装置に関する。
【０００２】
【従来の技術】
インクジェット記録装置においては、記録ヘッド上の複数の記録素子からインクを例えば滴として吐出し、これを記録媒体に着弾させることによって画像を形成する。この様に少量で多数のインク滴を吐出させる場合、インクの含有成分や記録ヘッドの使用状況によっては、インクに含まれる染料や顔料の色材の一部が、記録に伴う熱分解などの要因により、インクが吐出される吐出口付近に固形化および堆積することがある。記録素子内でこのような固形物の堆積を放置しておくと、吐出口はこの固形物によって徐々に閉塞され、吐出の方向や量に乱れが生じたり、更には、その記録素子自体が不吐出になってしまうなどの弊害が生じる。そして、このように正常な吐出が行えなくなった記録ヘッドによって形成された画像は、濃度むらやスジのような現象が現れ、低品質なものとなってしまう。
【０００３】
このため、インクジェット記録装置においては、記録装置内に記録ヘッドのメンテナンスを行う為の回復機構が備えられている。この回復機構によるメンテナンス処理には様々なものがあるが、一般には、記録ヘッドの記録素子から強制的に所定量のインクを吸引する吸引回復処理、記録ヘッドの記録素子から記録と関係のない吐出を行わせる予備吐出処理、記録ヘッドの吐出口が配列する吐出口面をワイパーブレードによって清掃するワイピング処理といったものがある。そして、各処理を適当なタイミングで、行わせることにより、記録ヘッドおよび出力される画像に対する信頼性を保つことが出来るのである。
【０００４】
ところで、これらメンテナンス処理の１つのシーケンスとして、記録直前の予備吐出処理が挙げられる。未使用時の記録素子内では、インク溶剤の揮発と、これに伴う色材の濃縮化が起こっており、これは経時的に増大して行く現象である。よって記録直前と言うタイミングで予備吐出を行い、濃縮化したインクを強制的に廃棄してしまうのが、時間とインクの無駄を最小限に抑えておきながら、この現象を効率的に還元する方法と言えるのである。一般にこの処理は、記録の開始命令が出されると同時に開始され、記録媒体の給送動作と並行して行われている。こうすることによって、記録に関わる時間（即ちスループット）に対し、記録ヘッドのメンテナンス処理に関わる時間が影響を及ぼさないようにすることが出来ているのである。
【０００５】
【発明が解決しようとする課題】
しかしながら、近年のインクジェット記録装置に対しては、省スペースの観点から小型化の要求が高まり、更に携帯性を重視した構成も求められてきている。そして、これらを実現しようとした場合、以下のような新たな問題が発生してくるのである。
【０００６】
小型化を進めた場合、記録媒体が積載された位置から１枚の記録媒体を他から分離し、記録装置本体内へと供給する給送手段による給送距離が短くなる。よって、より短時間で給紙動作を完了させることができるので、記録に関わるスループットの更なる向上を期待させる。
【０００７】
しかしながら、従来技術の項で説明したように、給紙動作と予備吐出動作を並行して行っている場合には、給紙動作のみが短縮化されたとしても、予備吐出動作にこれより長い時間がかかっている場合には、スループットは向上しない。スループットは、記録に直接関わらないこの予備吐出動作にかかる時間によって制限されてしまう。従来、記録前の予備吐出シーケンスは、給紙から排紙までの一連の記録動作の中で、スループットに影響することなく信頼性を保証できることが利点であった。それにも関わらず、小型化され、給紙時間の短縮された記録装置においては、予備吐出シーケンスのこのような利点が生かされず、逆にスループットの向上を妨げるものとなってしまっていた。
【０００８】
また小型化や携帯性を重視して行った場合、記録装置に搭載可能な電源の容量にも制限が課せられる。そして、電源容量を小量化した場合、同時にいくつのも駆動源を駆動させることが困難になってくる。例えば、記録ヘッドを搭載して移動走査するキャリッジを駆動するためのキャリッジモータと、記録媒体を搬送する搬送手段を駆動する為の搬送モータと、記録媒体を搬送手段まで給送する給送手段を駆動するための給送モータとについては、記録開始時の略同時期に駆動される事が多い。しかし電源容量に制限が課せられた場合、これら３つを全くの同時には駆動出来ない場合がある。対応策としては、短時間の単位で駆動するモータの種類を順次切り替えながら一連のシーケンスを実行させる。しかし、このような対応は、更にスループットの低下を招くことになる。
【０００９】
本発明は上述の問題点を解消するためになされたものであり、その目的とするところは、小型で電源容量の少ないインクジェット記録装置においても、スループットに影響することなく記録直前の予備吐出動作を行うことが出来るインクジェット記録装置を提供することである。
【００１０】
【課題を解決するための手段】
そのために本発明では、インクを吐出する記録ヘッドを搭載したキャリッジを移動走査する為のキャリッジ走査手段と、複数積載された記録媒体の１枚を給送する為の記録媒体給送手段と、前記記録媒体給送手段によって給送された前記記録媒体を前記記録ヘッドによる記録が可能な位置にまで搬送する記録媒体搬送手段とを備えるインクジェット記録装置において、前記記録媒体が前記記録媒体給送手段から前記記録媒体搬送手段へ引き継がれながら連続的に搬送される記録媒体給送搬送動作と、前記記録ヘッドの予備吐出動作と、を並行して行わせる制御手段を備え、該制御手段は、前記記録媒体給送手段の駆動、前記記録媒体搬送手段の駆動および前記予備吐出動作のすべてが同時に行われないよう制御することを特徴とする。
【００１１】
以上の構成によれば、記録媒体給送手段、記録媒体搬送手段、およびキャリッジ走査手段の３つの手段のうち、２つの手段を駆動させるのに充分な電源容量を有すれば、記録媒体の給紙搬送動作を中断させること無く記録ヘッドの予備吐出動作を行うことが出来る。よって、スループットと電源容量の観点において、効率的な給紙搬送動作および予備吐出動作を実行することが可能なインクジェット記録装置を提供することが可能となる。
【００１２】
尚、本発明において「記録媒体」とは、一般的なインクジェット記録装置で用いられる紙のみならず、広く、布、プラスチック・フィルム、金属板等、インクを受容可能な物も言うものとする。
【００１３】
さらに、「インク」とは、記録媒体上に付与されることによって、画像、模様、パターン等の形成または記録媒体の加工に供され得る液体を言うものとする。
【００１４】
【発明の実施の形態】
以下、図面を参照して本発明の実施形態を具体的に説明する。
【００１５】
図１は本発明に適用可能なインクジェット記録装置を示す斜視図である。図１において、１０１は複数枚積載された記録媒体を１枚ずつ記録装置本体に供給するための記録媒体給送手段、１０２は本体内に供給された上記記録媒体を記録が進むにつれて順次搬送するための記録媒体搬送手段、１０３は上記記録媒体に記録を行うための記録手段、及び１０４は記録手段のメンテナンスを行うための回復手段である。
【００１６】
記録媒体給送手段１０１は、圧板７、給送モータ８、給送ローラ９および給送ローラゴム１０等から構成されている。記録前の複数枚の記録媒体は圧板７上に積載されており、記録が開始されると、最上部の記録媒体Ｐ（図１では不図示）の表面に、給送ローラ９の周りに設けられた給送ローラゴム１０が圧接される。これにより、積載された記録媒体に対し、最上部の記録媒体Ｐのみの押し出し（給送）が可能となる。その後、給送モータ８によって給送ローラを駆動、回転させることによって、記録媒体Ｐが搬送手段１０２に達成するまで給送される。
【００１７】
搬送手段１０２まで送り込まれた記録媒体Ｐは、次に搬送モータ１２によって駆動される搬送ローラ１１によりプラテン１３上へ送り出される。以上が記録前の給紙搬送動作である。
【００１８】
記録手段１０３は、キャリッジ１、記録ヘッド２、ガイドシャフト４、キャリッジベルト５、キャリッジモータ６、インクタンク５１および５２等によって構成されている。実際に記録を行う記録ヘッド２および記録ヘッド２にインクを供給するインクタンク５１および５２は、キャリッジ１に搭載されている。記録ヘッド２はキャリッジ１の往復動作に伴い、適切なタイミングでインクを吐出することにより、プラテン１３上に配置された記録媒体Ｐに画像を形成する。キャリッジ１の移動走査は、キャリッジモータ６の駆動力がキャリッジベルト５に伝達されることによって行われ、移動の方向はガイドシャフト４に沿った方向に規制されている。このように、本実施形態のインクジェット記録装置においては、キャリッジ１の往復移動（主走査）に同期して行われる記録ヘッド２の記録動作と、記録媒体Ｐの所定量ごとの搬送（副走査）とを交互に繰り返すことにより、記録媒体Ｐに順次画像が形成されていく。
【００１９】
すべての画像データの記録が終了した記録媒体Ｐは、搬送ローラ１１により排紙ローラ１５へ送り出され、拍車１６との間に挟持されることで排紙される。
【００２０】
搬送モータ１２の駆動は排紙ベルト１４を介して排紙ローラ１５へも伝達されており、排紙ローラ１５は搬送ローラ１１と同時に回転駆動されている。その際、排紙ローラ１５の周速（搬送速度）は搬送ローラ１１の周速（搬送速度）より若干高く設定されており、記録時の記録媒体Ｐに対して適度の張力が付加されるようになっている。
【００２１】
回復手段１０４は、記録ヘッド２のインク目詰まり等を解消することで記録の品位を正常な状態に維持回復するためのものであり、記録ヘッドの吐出口からインクを吸引又は吐出させるためのポンプ手段（不図示）、吐出口を覆うためのキャップ手段（不図示）、並びに吐出口面を拭き取り清掃するためのワイピング手段（不図示）などにより構成されている。
【００２２】
図２は、記録媒体給送手段１０２の構成をより詳しく説明するための模式的斜視図である。
【００２３】
図２において、２０および２１はアイドルギア、２２は給送ローラギアである。給送モータ８の駆動力は、アイドルギア２０、２１及び給送ローラギア２２を介することにより給送ローラ９まで伝達され、給送ローラ９を回転させている。また、給送ローラ９は、記録装置本体内のシャーシ（不図示）に対し、軸受２３を介して回転自在に軸支されている。
【００２４】
圧板７上に積載された記録媒体Ｐはペーパーガイド１８により位置決めされている。また、圧板７は両側部分に係止された圧板ばね５３によって、給紙ローラ９に向けて付勢されている。
【００２５】
圧板７の両側には、圧板７と一体化された突起部（カム従動部）７ａが具えられており、一方、給紙ローラ９の両側には、給紙ローラ９と一体的に回転する給送ローラカム３２が設置されている。そして、突起部７ａと給送ローラカム３２とは、所定のタイミングで当接されるように構成されている。この様に、給紙ローラ９とともに給送ローラカム３２が回転する際に、給紙ローラカム３２と突起部７ａとが所定のタイミングで離間・当接することは、圧板７上の記録媒体Ｐに対して、給送ローラゴム１０が所定のタイミングで当接・離間する構成となる。ここで言う所定のタイミングとは、給紙動作の実行に関わるものであり、記録媒体Ｐを給送する給紙動作時には、圧板７を給送ローラ９に当接させ、記録媒体Ｐの給送終了後など、給紙動作時以外では、圧板７を給送ローラ９から離間させるようになっている。
【００２６】
さらに、給紙ローラ９上の給紙ローラゴム１０と対向する圧板７の部位には、記録媒体Ｐとの間で比較的大きな摩擦力を発生するための分離シート１９が設けられている。この分離シート１９は、記録媒体Ｐと圧板７との間に摩擦力を生じさせ、給送動作時における記録媒体Ｐの重送を防止する働きを持つ。
【００２７】
図３は本発明に適用可能なインクジェット記録装置の模式的側面図である。図３に示すように、本実施形態で適用するインクジェット記録装置においては、圧板７に積載され、ペーパーガイド１８によって位置決めされた記録媒体Ｐの先端部Ａ点から、搬送ローラ１１のＢ点までの距離は、２４ｍｍとなっている。この２４ｍｍを記録媒体Ｐの先端が移動する動作が、記録媒体給送手段が行う給紙動作となる。
【００２８】
図４は、本発明を適用可能なインクジェット記録装置の制御系の構成を示す概略ブロック図である。図４において、ＣＰＵ２００は、本実施形態で適用する記録装置の動作の制御やデータ処理等を実行する。ＲＯＭ２０１は、それらの処理手順等のプログラムが格納され、またＲＡＭ２０２は、それらの処理を実行するためのワークエリアなどとして用いられる。
【００２９】
記録ヘッド２からのインクの吐出は、ＣＰＵ２００が記録素子の駆動データ（画像データ）および駆動制御信号をヘッドドライバ２Ａに供給することにより行われる。また、ＣＰＵ２００は、キャリッジ１を主走査方向に駆動するためのキャリッジモータ６をモータドライバ６Ａを介して制御し、記録媒体Ｐを副走査方向に搬送するための搬送モータ１２をモータドライバ１２Ａを介して制御する。更に、記録媒体Ｐを搬送ローラ１１まで給紙するための給送モータ８をモータドライバ８Ａを介して制御する。
【００３０】
３００は、記録装置に接続されたパーソナルコンピュータなどのホスト装置である。ホスト装置３００には、ユーザーが記録する画像を形成するアプリケーションや、記録モードを設定可能なプリンタドライバなどがインストールされている。
【００３１】
図５は、ホスト装置３００より記録開始命令が出されたとき、ＣＰＵ２００が行う給紙開始から実際の記録が開始されるまでのシーケンスを、本実施形態のインクジェット記録装置に対し、従来の方法に従って適用した場合の動作図である。
【００３２】
図５において、縦方向は時間の流れを示している。横方向は、搬送モータ１２、給送モータ８およびキャリッジモータ６の３つの領域に分割して示しており、シーケンス内の各ステップに対して、上記３つのモータのうち、どのモータが駆動されているかを判別しやすくしたものである。
【００３３】
記録開始命令が入力されると、給送モータ８により、まず記録媒体の給紙が開始される（Ｓ１０１）。そして、これと同時に、キャリッジモータ６は、記録ヘッド２が予備吐出を行う為のキャッピングポジションにキャリッジ１を移動させ、予備吐出を開始する（Ｓ１０２）。予備吐出は０．５秒要する。
【００３４】
一方、給送モータ８においては、記録媒体Ｐの先端部が搬送ローラ１１に対し給紙開始後０．３秒で到達する。即ち、図３で示した様に、本実施形態のインクジェット記録装置は従来のものより小型化されているため、この距離が２４ｍｍ程度しかなく、０．３秒で移動が完了してしまうのである。この時、更に記録媒体Ｐをプラテン１３の位置まで送り込むためには、給送モータ６と搬送モータ１２とを同時に駆動させる必要がある。しかし、この時点では予備吐出動作が未だ完了していないため、３つのモータを同時に駆動させるための電源容量を持ち合せない本実施形態の記録装置においては、これ以上の搬送動作を進めることが出来ない。よって、一旦給紙を中断する（Ｓ１０３）。そして、予備吐出が完了するまでの０．２秒間は待機状態となる。
【００３５】
Ｓ１０４で予備吐出が完了すると、給送モータは駆動を再開し（Ｓ１０５）、プラテン１３の位置まで記録媒体Ｐを搬送する。この間は０．２秒要する。この時点で、給紙搬送動作は完了する（Ｓ１０７）。また、予備吐出完了（Ｓ１０４）と同時に搬送ローラ１２による記録媒体Ｐの搬送も開始され（Ｓ１０６）、記録媒体Ｐの頭だし量に合わせて搬送を行う。この間、記録媒体Ｐの頭だし量が最も少ない場合、すなわち搬送距離が最も少ない場合でも０．７秒要する。頭だしが完了した時点で給紙搬送動作は終了する（Ｓ１０８）。そして、同時に実際の記録が開始する。すなわち、記録ヘッド２によるインクの吐出を行いながらのキャリッジの搬送工程（Ｓ１１０）と、搬送モータ１２による記録媒体の搬送工程（Ｓ１０９）とが交互に行われていく。
【００３６】
以上のシーケンスにおいて、給紙動作を開始したＳ１０１から給紙動作が完了するＳ１０８までに要する時間は１．２秒となる。
【００３７】
図６は、ホスト装置３００より記録開始命令が出されたとき、ＣＰＵ２００が行う給紙開始から実際の記録が開始されるまでのシーケンスの例を、本実施形態の方法に従って図５と比較しながら説明するための動作図である。
【００３８】
本実施形態において、記録開始命令が入力されると、給送モータ８により、まず記録媒体の給紙が開始される（Ｓ２０１）。そして、記録媒体Ｐの先端部が搬送ローラ１１に対し給紙開始後０．３秒で到達する（Ｓ２０２）。
【００３９】
続けて、更に記録媒体Ｐをプラテン１３の位置まで送り込むために、給送モータ６と搬送モータ１２とを同時に駆動させ、プラテン１３位置にまで記録媒体Ｐを搬送する。この間は０．２秒要する（Ｓ２０４）。
【００４０】
給送モータ８の駆動は、このＳ２０４の時点で完了するが、搬送モータ１２においては更に続けて記録媒体Ｐの頭だし作業が行われる。この間、図５と同様に最も少ない場合でも０．７秒要する。
【００４１】
一方、給紙動作が完了した時点で、キャリッジモータ６は、記録ヘッド２が予備吐出を行う為のキャッピングポジションにキャリッジ１を移動させ、予備吐出を開始する（Ｓ２０５）。予備吐出は０．５秒要する。
【００４２】
搬送モータ１２による頭だしと、予備吐出動作はほぼ同時に完了する（Ｓ２０７およびＳ２０６）。
【００４３】
この時点で全ての給紙搬送シーケンスは終了し、同時に実際の記録が開始する。すなわち、記録ヘッド２によるインクの吐出を行いながらのキャリッジの搬送工程（Ｓ２０９）と、搬送モータ１２による記録媒体の搬送工程（Ｓ２０８）とが交互に行われていく。
【００４４】
以上のシーケンスにおいて、給紙動作を開始したＳ２０１から給紙搬送シーケンスが完了して記録が開始するＳ２０８までに要する時間は１．０秒となる。これは、図５で説明した従来の方法を適用した時間と比較すると、０．２秒の短縮となる。
【００４５】
従来の方法によれば、記録の開始命令と同時に、記録媒体Ｐの給紙と、記録ヘッドの予備吐出とを同時に開始させていたために、記録媒体の搬送が給送ローラから搬送ローラに引き継がれていく一連の処理の中で、同時に３つのモータを駆動させなければならない状況を生じさせてしまっていた。無論、この様な状況であっても、記録装置が比較的大型で大容量の電源容量を具えた記録装置であれば、特に問題はない。しかし、本実施形態のように小型で携帯性を重視した記録装置においては、小容量の電源を適用せざるを得ず、この場合、あまり多くのモータを同時に駆動させることは不可能になっている。即ち、限られた電源を有効に使いながら、スループットの無駄を極力省くために、複数のモータの動作順序をいかに効率的に組立てるかが重要な課題となってくるのである。
【００４６】
このような状況を踏まえて検討を行ったところ、発明者らは、記録媒体の搬送が給送ローラから搬送ローラに引き継がれていく一連の処理の中で、給送ローラのみが関わる初期の段階よりも、搬送ローラのみが関わる後半の段階のほうが、比較的所要時間が長いことに着目した。予備吐出動作自体は、給紙動作とは直接関係はなく、給紙搬送動作が行われているどこかのタイミングで平行して行われ、完結していればよい。よって、本実施形態においては、この予備吐出動作を後半の搬送ローラのみが関わる段階に移動させることによって、同時に３つのモータを駆動させなければならない状況を回避しながらも、最短のスループットで給紙動作を完了させることに成功したのである。
【００４７】
尚、以上では簡単の為に、給送モータ８、搬送モータ１２およびキャリッジモータ６の３つの駆動源を主体に説明して来たが、実際の予備吐出動作においては、記録ヘッド２からインクを予備吐出させるためのヘッドドライバ１０Ａによる駆動も行っている。よって図５および図６については、本来ヘッドドライバ２Ａの駆動タイミングについても考慮に入れる必要がある。しかし、実際の予備吐出動作においては、キャリッジ１を移動させる工程と、記録ヘッド２からインクを予備吐出させる工程とは、全くの同時には行われていない。すなわち、両者をそれぞれ駆動させるドライバを小刻みに切り替えながら動作させることにより、予備吐出開始から完了までの０．５秒の中に、全ての工程が収められているのである。本明細書の図５および図６についてはその詳細は省略している。
【００４８】
本発明の実施態様の例を以下に列挙する。
【００４９】
〔実施態様１〕  インクを吐出する記録ヘッドを搭載したキャリッジを移動走査する為のキャリッジ走査手段と、複数積載された記録媒体の１枚を給送する為の記録媒体給送手段と、前記記録媒体給送手段によって給送された前記記録媒体を前記記録ヘッドによる記録が可能な位置にまで搬送する記録媒体搬送手段とを備えるインクジェット記録装置において、
前記記録媒体が前記記録媒体給送手段から前記記録媒体搬送手段へ引き継がれながら連続的に搬送される記録媒体給送搬送動作と、前記記録ヘッドの予備吐出動作と、を並行して行わせる制御手段を備え、
該制御手段は、前記記録媒体給送手段の駆動、前記記録媒体搬送手段の駆動および前記予備吐出動作のすべてが同時に行われないよう制御することを特徴とするインクジェット記録装置。
【００５０】
〔実施態様２〕  前記予備吐出動作は、前記記録媒体給紙搬送動作のうち、前記記録媒体搬送手段が前記記録媒体を前記記録ヘッドによる記録が可能な位置にまで搬送する動作と並行して行われていることを特徴とする実施態様１に記載のインクジェット記録装置。
【００５１】
〔実施態様３〕  前記予備吐出動作は、前記記録ヘッドが予備吐出可能な位置にまで前記キャリッジ走査手段によって前記キャリッジを移動させる工程と、前記記録ヘッドによって予備吐出を行う工程と、前記記録ヘッドが前記記録媒体に記録可能な位置にまで前記キャリッジ走査手段によって前記キャリッジを移動させる工程とが含まれることを特徴とする実施態様１または２に記載のインクジェット記録装置。
【００５２】
〔実施態様４〕  前記インクジェット記録装置は、前記キャリッジ走査手段を電気的に駆動する為の第１の駆動源と、前記記録媒体給送手段を電気的に駆動する為の第２の駆動源と、前記記録媒体搬送手段を電気的に駆動するための第３の駆動源とを有し、前記第１の駆動源と前記第２の駆動源、および前記第３の駆動源は、３者同時に駆動されないことを特徴とする実施態様１乃至３のいずれかに記載のインクジェット記録装置。
【００５３】
〔実施態様５〕  インクを吐出する記録ヘッドが予備吐出可能な位置にまで該記録ヘッドを搭載したキャリッジを移動させる第１工程と、前記記録ヘッドによって予備吐出を行う第２工程と、前記記録ヘッドが記録媒体に記録可能な位置にまで前記キャリッジを移動させる第３工程と、複数積載された記録媒体の１枚を給紙する第４工程と、前記第４工程によって給紙された前記記録媒体を前記記録ヘッドによる記録が可能な位置にまで搬送する第５工程とを有する予備吐出方法において、前記第１乃至第５工程のうち同時に３つ以上の工程は行われないことを特徴とする予備吐出方法。
【００５４】
【発明の効果】
以上説明した様に本発明によれば、記録媒体給送手段、記録媒体搬送手段、およびキャリッジ走査手段の３つの手段のうち、２つの手段を駆動させるのに充分な電源容量を有すれば、記録媒体の給紙搬送動作を中断させること無く記録ヘッドの予備吐出動作を行うことが出来る。よって、スループットと電源容量の観点において、効率的な給紙搬送動作および予備吐出動作を実行することが可能となる。
【図面の簡単な説明】
【図１】本発明の実施形態で適用したインクジェット記録装置の内部構成を示す模式的斜視図である。
【図２】本発明の実施形態で適用したインクジェット記録装置の給送手段の構成を示す模式的斜視図である。
【図３】本発明の実施形態で適用したインクジェット記録装置の内部構成を示す模式的側面図である。
【図４】本発明の実施形態で適用したインクジェット記録装置の制御系の構成を説明するためのブロック図である。
【図５】従来の方法での給紙シーケンスである。
【図６】本発明の実施形態における給紙シーケンスである。
【符号の説明】
１  キャリッジ
２  記録ヘッド
４  ガイドシャフト
５  キャリッジベルト
６  キャリッジモータ
７  圧板
７ａ  カム従動部
８  給送モータ
９  給送ローラ
１０  給送ローラゴム
１１  搬送ローラ
１２  搬送モータ
１５  排紙ローラ
１８  ペーパーガイド
１９  分離シート
２５  ピンチローラ
２７  ガイド部材
２８  復帰補助部材（戻しレバー）
２８ａ  支軸
２９  弾性部材
３２  カム部材（給送ローラカム）
３２ａ  カム部
３２ｂ  切欠き部（回転中心）
３２ｃ  腕部
５１  インクタンク
５２  インクタンク
５３  付勢手段（圧板ばね）
１０１  記録媒体給送手段
１０２  記録媒体搬送手段
１０３  記録手段
１０４  回復手段
Ｐ  記録媒体
【図１】
2004230841.tif 000003
【図２】
2004230841.tif 000004
【図３】
2004230841.tif 000005
【図４】
2004230841.tif 000006
【図５】
2004230841.tif 000007
【図６】
2004230841.tif 000008